(57)【要約】【課題】視覚に加えて嗅覚を判断材料に加えてより精度の高いインテリアテイストの診断を行うこと。【解決手段】複数の自然植物から抽出して得た精油を特定のインテリアテイストのポイントなるキーワードに合うような香りをイメージできるように所定の割合で混合して希釈混合精油を得て、該希釈混合精油の香りを空気中に発散させて、その匂いを嗅ぐことによって、複数のインテリアテイストの中から前記特定のインテリアテイストを選ぶことを特徴とする臭覚を活用したインテリアレイスト診断方法。【選択図】図４
2018205378.tif 000002
【特許請求の範囲】
【請求項１】
複数の自然植物から抽出して得た精油を特定のインテリアテイストのポイントなるキーワードに合うような香りをイメージできるように所定の割合で混合して希釈混合精油を得て、該希釈混合精油の香りを空気中に発散させて、その香りを嗅ぐことによって、複数のインテリアテイストの中から前記特定のインテリアテイストを選ぶことを特徴とする嗅覚を活用したインテリアテイスト診断方法。
【請求項２】
前記インテリアテイストは、インテリアがセットされた室内展示場であることを特徴とする請求項１に記載の嗅覚を活用したインテリアテイスト診断方法。
【請求項３】
前記インテリアテイストは、インテリアがセットされた室内風景写真又は室内風景絵であることを特徴とする請求項１に記載の嗅覚を活用したインテリアテイスト診断方法。
【請求項４】
前記希釈混合精油の香りを空気中に発散させる方法が、スプレーによるものであることを特徴とする請求項１乃至３のいずれか一項に記載の嗅覚を活用したインテリアテイスト診断方法。
【請求項５】
視覚によるインテリアテイストの診断方法と併せて行うことを特徴とする請求項１乃至請求項４のいずれか一項に記載の嗅覚を活用したインテリアテイスト診断方法。
【発明の詳細な説明】
【技術分野】
【０００１】
この発明は、嗅覚を活用してのその個人についてのインテリアテイスト診断するその方法に関する。
【背景技術】
【０００２】
従来から、住宅等の販売見込みユーザーである顧客や改築・改装の見込み客に対して、インテリアに対する嗜好を診断し確認して、その結果、見込み客の住宅のインテリアの検討時に満足のゆくプレゼンテーションを行い、新築や改築・改装の打ち合わせの際に参考材料として、また住宅展示場の集客イベント時に住宅への興味を高めてもらうためのアイテムとして、インテリアテイスト診断が実施されている。      
【０００３】
この従来のインテリアテイスト診断は、人間の五感の内、専ら視覚で図形とその図形に付されている色彩とを認識してそれに基づく被診断者の好みをインテリアテイストに反映させるようにするものである。具体的には、「インテリアテイスト診断」のＳｔｅｐ１として、縦方向に３種類の図１〜図３に示すような日用品の小物、すなわち、スタンド照明、フォトフレーム、ダイニングチェアの小物名が記載され、横方向には各々の日用品の小物のカラー写真が３枚が並べられると共にそれに対応するようにＡ〜Ｃの符号が付されている。被診断者は、各小物につき横一列に並ぶ３つの形、色彩の異なる小物の中から最も気に入った小物の符号にチェックを入れておく。以上の例は、横一列に並べられた３つの写真の小物の中から最も気に入った１枚を選ぶようにする机上で診断する場合であるが、被診断者に興味を持ってもらうためには、実体験型にして、部屋の中で各小物毎に３個の実物を纏めてその小物に相応しい置場所に展示しておき、その実物にＡ〜Ｃの符号を関連付けしておいて最も気に入った実物の符号を別途作成しているチェック表に記入するようにしても良い。
【０００４】
次に、Ｓｔｅｐ２として、図４に示すように、縦方向には前記した３種類の日用品の小物名の欄を設け、横方向には異なる３つの種類のインテリアテイスト名、即ち、ジャパニーズテイスト、モダンテイスト、ヨーロピアンテイストが並べられている。そして、縦と横の交差する枠内には、縦方向の各小物の中で３つのインテリアテイストに合致するもののＡ〜Ｃのいずれかの符号が記載されている。被診断者は先にＳｔｅｐ１で小物毎に最も気に入ったチェックした実物の符号に印をつけてゆく。そして、インテリアテイスト毎の縦方向の印の数を数えてその数字を下欄に書き込む。この数字の最も大きいインテリアテイストがその被診断者が最も望む嗜好であると診断する診断方法である。
【０００５】
３つの各インテリアテイストのイメージに基づくインテリアは、あらかじめ経験則に基づいて作成されている。即ち、ジャパニーズテイストについては図５、モダンテイストについては図６、ヨーロピアンテイストについては図７にそれぞれ示されている。従って、被診断者に対してはこれらの図に基づいて、インテリア部材の選択、配置等を考える参考材料として貰うことができ、選択の範囲が大きく絞られることとなるので、被診断者が住宅や改築・改装の見込み客である場合には、インテリア検討のための打合せの回数を減らし、設計にかける時間を削減出来る利点がある。又、潜在的な好みを引き出すことで建築後の満足感を得ることが出来る利点がある。又、イベント時には、被診断者に住宅への興味を高めてもらうアイテムとして有効に活用できる利点がある。
【先行技術文献】
【非特許文献】
【０００６】
「ＷＥＢ納得工房  理想のわが家を描いてみよう」
【発明の概要】
【発明が解決しようとする課題】
【０００７】
しかしながら、上記した従来技術によると、人間の五感の内、視覚によってのみのインテリアテイストであるので、視覚がとらえた３種類の日用品の小物で嗜好を確認する方法となり、そのために、被診断者のその対象となる日用品に対するこだわりや固有の好みなども加味され、結果がばらつくことも稀ではない。そのために、診断結果に十分な満足を得られない場合もあり、視覚による日用品以外の別の判断材料があるとさらに精度の高い診断が実現されると期待される。又、アイテム診断では特定しにくい好みがどれにも当てはまらないような時に、アロマの嗜好を取り入れることのメリットがある。
【課題を解決するための手段】
【０００８】
この発明は前記課題を解決するため、前記の従来技術に人間の五感の一つである嗅覚を判断材料に加えてより精度の高いインテリアテイストの診断を行うことを目的としてなされたものであって、その手段とするところは、複数の自然植物から抽出して得た精油を特定のインテリアテイストのポイントなるキーワードに合うような香りをイメージできるように所定の割合で混合して希釈混合精油を得て、該希釈混合精油の香りを空気中に発散させて、その香りを嗅ぐことによって、複数のインテリアテイストの中から前記特定のインテリアテイストを抽出することを特徴とする天然アロマを活用したインテリアテイスト診断方法である。前記インテリアテイストは、インテリアがセットされた室内展示場であることにある。又、前記インテリアテイストは、インテリアがセットされた室内風景写真又は室内風景絵であることにある。更に、前記希釈混合精油の香りを空気中に発散させる方法が、スプレーによるものであることにある。更に又、この発明の天然アロマを活用したインテリアテイストの診断方法は、視覚によるインテリアテイストの診断方法と併せて行うことにある。
【発明の効果】
【０００９】
人間の嗅覚を基準にしてインテリアテイストの診断を行うので、視覚による従来の判断基準とは異なる観点からの診断を行える利点がある。又、視覚による診断では見出せなかった潜在的な嗜好に気づくことで、より精度の高い診断が実現できる。香りを空気中に発散させるので複数の被診断者に同時に診断できる。前記インテリアテイストが、実際のインテリアテイストとなるインテリアを揃えた室内展示場である場合には、臨場感をもって体験できるので、被診断者に与えるインパクトも大きくなり、この診断の目的達成が得られ易い。前記インテリアテイストがインテリアがセットされた室内風景写真又は室内風景絵である場合は、経費をかけずに診断できる。又、前記希釈混合精油の香りを空気中に発散させる方法が、スプレーによものであれば、広範囲にわたって香りを発散させることが出来るので、容器の蓋を開けて香りを嗅ぐのとは異なり、適正な濃度で嗅ぐことができ、また多数の被診断者に対して同時に診断できる。視覚による診断方法と同時に実施すれば、より精度の高い診断を行うことが出来る。
【図面の簡単な説明】
【００１０】
【図１】インテリアテイスト診断のＳｔｅｐ１における日用品の小物の一例であるスタンド照明のイメージ図。
【図２】インテリアテイスト診断のＳｔｅｐ１における日用品の小物の一例であるフォトフレームのイメージ図。
【図３】インテリアテイスト診断のＳｔｅｐ１における日用品の小物の一例であるダイニングチェアのイメージ図。
【図４】インテリアテイスト診断のＳｔｅｐ２の集計表。
【図５】インテリアテイスト診断のＳｔｅｐ２におけるジャパニーズテイストのイメージ図。
【図６】インテリアテイスト診断のＳｔｅｐ２におけるモダンテイストのイメージ図。
【図７】インテリアテイスト診断のＳｔｅｐ２におけるヨーロピアンテイストのイメージ図。
【発明を実施するための形態】
【００１１】
ここで使用するインテリアテイストの天然アロマは、下記の〔天然アロマレシピ〕に示すように、ヒノキ、ユズ、クスノキ、ベルガモット、シダーウッド、ペパーミント、ゼラニウム、ラベンダー、ローズウッドなどの各自然植物から水蒸気蒸留法などの手法によって抽出した精油を無水エタノールや精製水などで薄めたものを原液としたものである。例えば、インテリアテイストがジャパニーズテイストの場合には、ヒノキ １０ｃｃ、ユズ ２０ｃｃ、クスノキ ３ｃｃの割合で精油を混合したものの合計が３３ｃｃとしたものである。このようなインテリアテイスト毎の植物精油の選択や配合割合は、ポイントの欄に記載の概念である、和・伝統・シンプルをキーワードとして、香りのイメージの欄に記載されている「和精油であるヒノキ・ユズ・クスノキを使用した日本の文化を思いおこさせてくれる落ち着いた香り。」を醸し出すものであって、自然界に存在する多種の植物精油の中から選んで組み合わせ、且つ、その配合も試行錯誤しながら決定したものである。モダンテイスト以下についても同様である。ポイントとなる語句の選定や香りのイメージに合致する植物の選択、配合割合は、重要なファクターであるので、専門家によってあらかじめ調合されて確立されている。
〔天然アロマレシピ〕
１）ジャパニーズテイスト
〔ポイント〕和・伝統・シンプル
〔香りのイメージ〕和精油であるヒノキ・ユズ・クスノキを使用した日本の文化を思いおこせてくれる落ち着いた香り。
〔精油配合パターン〕ヒノキ              １０
ユズ                ２０
クスノキ              ３
２）モダンテイスト
〔ポイント〕伸びやか・自然・爽やか
〔香りのイメージ〕爽やかでやさしい、森の中に流れる穏やかな風のようなナチュラル感のある香り
〔精油配合パターン〕ベルガモット        １０
シダーウッド          ６
ペパーミント          ４
３）ヨーロピアンテイスト
〔ポイント〕シンメトリー・エレガント・伝統
〔香りのイメージ〕ヨーロッパの庭先でそこにかしこに咲くゼラニウムをメインにした、優美で華やかなフローラルの香り。
〔精油配合パターン〕ゼラニウム          １２
ラベンダー          １０
ローズウッド          ８
【００１２】
上記のようにして作成された３つのインテリアテイストの天然アロマ原液は、それぞれスプレー付きのポリエチレンの合成樹脂容器に入れられる。この容器の色又はラベルを各インテリアテイストを連想させる色彩を施したものにすればよりイメージを向上させることが出来る。例えば、ジャパニーズテイストは薄緑色、モダンテイストは薄水色などである。
【００１３】
そして被診断者に対してその３種類の天然アロマ原液を噴霧する等して香りを嗅いで貰う。香りを嗅いだ被診断者は、その香りの中から自分に最も合う天然アロマを１つ選ぶ。そして、その選んだ香りの天然アロマのイメージと合致すると対応づけられているインテリアテイストが３つの内のいずれのインテリアテイストであるかを、室内展示場あるいは写真や絵を見比べながら診断者に通知する。診断者は当該容器に入っている天然アロマと被診断者が選んだインテリアテイストとが、予め対応づけられていたものとが一致しているかどうかをチェックして、被診断者に知らせる。一致していれば、該当するインテリアテイストのイメージに基づいて、インテリア用品の選別選択、或いは室内の模様、家具、その他の日用品の小物に至るまでを揃えてゆけば、顧客の嗜好をほぼ満足した商品を揃えることが出来き、販売促進につなげることが出来る。又、この天然アロマ原液のスプレーによる噴霧状態の雰囲気の中で複数の人に香りを嗅いで貰って、３つのうちのどのインテリアテイストに合うかを当てるイベントを企画することが出来る。
【００１４】
上記した診断方法とは逆に、被診断者に前記Ｓｔｅｐ１、２の視覚によるインテリアテイスト診断で３つのインテリアテイストの中から選んだ１のインテリアテイストが、３つの天然アロマの内のどれに対応するか、３つの天然アロマの香りを嗅いでその中から選んで、予め対応付けられているものと一致するかどうかを診断者に確認してもらうこともできる。一致している場合には、被診断者の精度の高い嗜好を知得することが出来る。イベント企画でも同様である。一致していない場合でも、他のインテリアテイストに潜在的な嗜好があることに気づいて、嗜好の範囲を拡大してインテリア用品の選択の範囲も拡大できる余地があることを知得できる。
【００１５】
更に又、前記Ｓｔｅｐ１、２の視覚によるインテリアテイスト診断と、この嗅覚によるインテリアテイスト診断を併せて行い、その結果が一致した場合には、より被診断者の正確なインテリアテイスト診断が行われたことになり、被診断者が見込み客の場合には満足を得られる商品選びを行うことが出来るので、販売促進に貢献することが出来る。
【００１６】
以上の実施例においては、自然植物としてはヒノキを始めとする９種類を選びこれらの精油を無水エタノール、精製水で薄めて配合したものを用いた例を述べたが、これらの自然植物に限定されるものではなく、他の自然植物の精油を配合して用いても良い。
【００１７】
３つのインテリアテイストに対応付けられたポイントのキーワード及び香りのイメージが一致すると関連づけたのは、香りの専門家によるものであるとは雖も、完璧な配合パターンによる対応ではないが、かなり高い確率の正確性が得られていることに基づいての診断方法であるので、この発明の嗅覚を利用したインテリアテイスト診断方法の客観性はあり、広く活用できるものである。なお、本明細書では代表的な実施例を挙げたが、インテリアテイストは３種類に絞られるのではなく、多数の種類を設定して、より多様化したニーズを診断する仕組みにすることができる。
【産業上の利用可能性】
【００１８】
この発明の嗅覚を利用したインテリアテイスト診断方法は、広く住宅や改築、改装する際のインテリア選定の補助手段として有効に活用できる。又、従来の視覚による診断方法と併用すればより精度の高い診断を行え、又、イベント効果も向上する。
【図１】
2018205378.tif 000003
【図２】
2018205378.tif 000004
【図３】
2018205378.tif 000005
【図４】
2018205378.tif 000006
【図５】
2018205378.tif 000007
【図６】
2018205378.tif 000008
【図７】
2018205378.tif 000009
【手続補正書】
【提出日】平成30年10月3日(2018.10.3)
【手続補正１】
【補正対象書類名】特許請求の範囲
【補正対象項目名】請求項１
【補正方法】変更
【補正の内容】
【請求項１】
複数の自然植物から抽出して得た精油を特定のインテリアテイストのポイントとなるキーワードに合うような香りをイメージできるように所定の割合で混合して得る希釈混合精油である天然アロマのレシピが、
１）ジャパニーズ天然アロマ： ヒノキ、ユズ及びクスノキからそれぞれ抽出した精油の希釈混合精油
２）モダン天然アロマ：ベルガモット、シダーウッド及びペパーミントから抽出した精油の希釈混合精油
３）ヨーロピアン天然アロマ：ゼラニウム、ラベンダー及びローズウッドから抽出した精油の希釈混合精油
の３つが作成されて、これら３つの希釈混合精油の天然アロマの香りを空気中に発散させて、その香りを被診断者が順に嗅ぐことによって、上記３つの天然アロマの中から被診断者に最も合うものを１つ選び、その選んだ香りの天然アロマのイメージと合致するように対応づけられている和、モダン、洋の３つのインテリアテイストの内のいずれかのインテリアテイストが被診断者の嗜好であるかを知ることができるインテリアテイスト診断方法。
【手続補正２】
【補正対象書類名】明細書
【補正対象項目名】０００８
【補正方法】変更
【補正の内容】
【０００８】
この発明は前記課題を解決するため、前記の従来技術に人間の五感の一つである嗅覚を判断材料に加えてより精度の高いインテリアテイスト診断を行うことを目的としてなされたものであって、その手段とするところは、複数の自然植物から抽出して得た精油を特定のインテリアテイストのポイントとなるキーワードに合うような香りをイメージできるように所定の割合で混合して得る希釈混合精油である天然アロマのレシピが、
１）ジャパニーズ天然アロマ： ヒノキ、ユズ及びクスノキからそれぞれ抽出した精油の希釈混合精油
２）モダン天然アロマ：ベルガモット、シダーウッド及びペパーミントから抽出した精油の希釈混合精油
３）ヨーロピアン天然アロマ：ゼラニウム、ラベンダー及びローズウッドから抽出した精油の希釈混合精油
の３つが作成されて、これら３つの希釈混合精油の天然アロマの香りを空気中に発散させて、その香りを被診断者が順に嗅ぐことによって、上記３つの天然アロマの中から被診断者に最も合うものを１つ選び、その選んだ香りの天然アロマのイメージと合致するように対応づけられている和、モダン、洋の３つのインテリアテイストの内のいずれかのインテリアテイストが被診断者の嗜好であるかを知ることができるインテリアテイスト診断方法である。前記インテリアテイストは、インテリアがセットされた室内展示場であることにある。又、前記インテリアテイストは、インテリアがセットされた室内風景写真又は室内風景絵であることにある。更に、前記希釈混合精油の香りを空気中に発散させる方法が、スプレーによるものであることにある。更に又、この発明の天然アロマを活用したインテリアテイストの診断方法は、視覚によるインテリアテイストの診断方法と併せて行うことにある。
【手続補正３】
【補正対象書類名】明細書
【補正対象項目名】００１８
【補正方法】変更
【補正の内容】
【００１８】
この発明の嗅覚を利用したインテリアテイスト診断方法は、広く住宅を新築、改築、改装する際のインテリア選定の補助手段として有効に活用できる。又、従来の視覚による診断方法と併用すればより精度の高い診断を行え、又、イベント効果も向上する。